(57)【特許請求の範囲】
【請求項１】
ＴＤＭＡフレームにおける送信開始スロットを監視して所定条件を満たしているかどうかを判定する空きスロット情報取得手段と、
信号の送信の際、自装置に対応する前記送信開始スロットで前記信号の前記送信を開始し、前記信号の前記送信で自装置に対応する前記送信開始スロットで前記信号を前記送信した後に残っている前記送信する前記信号である残り信号がある場合、前記所定条件が満たされた場合に、前記送信開始スロットのうちの最後のスロットと次の前記送信開始スロットのうちの最初のスロットとの間のインターバル期間において、自装置の割当てスロットに加えて、前記所定条件を満たした前記送信開始スロットに対応付けられている他の無線通信端末装置の前記割当てスロットを利用して前記残り信号の前記送信を行う送信手段と
を備え、
前記所定条件は、前記他の無線通信端末装置に対応する前記送信開始スロットでの信号受信がないことであり、
前記送信開始スロットでの前記信号受信は、前記インターバル期間において、前記信号受信がある前記送信開始スロットに対応付けられている前記他の無線通信端末装置の前記割当てスロットが前記他の無線通信端末装置の前記信号の前記送信に使用される可能性があることを示す
ことを特徴とする無線通信端末装置。
【請求項２】
前記送信手段は、さらに、前記残り信号の前記送信の際に、前記信号受信の有る前記送信開始スロットに対応付けられている前記他の無線通信端末装置と自装置との所定優先度にもとづいて、前記利用するスロットを決定する
ことを特徴とする請求項１に記載の無線通信端末装置。
【請求項３】
ＴＤＭＡフレームにおける送信開始スロットを監視して所定条件を満たしているかどうかを判定する空きスロット情報取得手段と、
信号の送信の際、自装置に対応する前記送信開始スロットで前記信号の前記送信を開始し、前記信号の前記送信で自装置に対応する前記送信開始スロットで前記信号を前記送信した後に残っている前記送信する前記信号である残り信号がある場合、前記所定条件が満たされた場合に、前記送信開始スロットのうちの最後のスロットと次の前記送信開始スロットのうちの最初のスロットとの間のインターバル期間において、自装置の割当てスロットに加えて、前記所定条件を満たした前記送信開始スロットに対応付けられている他の無線通信端末装置の前記割当てスロットを利用して前記残り信号の前記送信を行う送信手段と
を備え、
前記所定条件は、前記他の無線通信端末装置に対応する前記送信開始スロットでの信号受信がないことであり、
前記送信手段は、さらに、前記信号の前記送信の際に、前記信号受信の有る前記送信開始スロットに対応付けられている前記他の無線通信端末装置と自装置との所定優先度にもとづいて、前記利用するスロットを決定する
ことを特徴とする無線通信端末装置。
【請求項４】
前記送信手段は、さらに、前記信号の前記送信で前記残り信号がある場合に、前記送信開始スロットで前記送信する前記信号に前記残り信号の有ることを示す情報を含め、
前記所定条件は、さらに、受信信号に前記残り信号の有ることを示す情報が含まれていないことである
ことを特徴とする請求項２あるいは請求項３に記載の無線通信端末装置。
【請求項５】
前記送信手段は、さらに、前記信号の前記送信で前記残り信号がある場合に、前記インターバル期間における所定スロットで前記信号の前記送信が未完了であることを示す所定識別子も前記送信し、前記インターバル期間における所定スロットで前記所定識別子を受信しなくなった後に、前記インターバル期間における所定スロットを前記利用するスロットに含める
ことを特徴とする請求項２あるいは請求項３に記載の無線通信端末装置。
【請求項６】
ＴＤＭＡフレームにおける送信開始スロットを監視して所定条件を満たしているかどうかを判定し、
信号の送信の際、自装置に対応する前記送信開始スロットで前記信号の前記送信を開始し、前記信号の前記送信で自装置に対応する前記送信開始スロットで前記信号を前記送信した後に残っている前記送信する前記信号である残り信号がある場合、前記所定条件が満たされた場合に、前記送信開始スロットのうちの最後のスロットと次の前記送信開始スロットのうちの最初のスロットとの間のインターバル期間において、自装置の割当てスロットに加えて、前記所定条件を満たした前記送信開始スロットに対応付けられている他の無線通信端末装置の前記割当てスロットを利用して前記残り信号の前記送信を行い、
前記所定条件は、前記他の無線通信端末装置に対応する前記送信開始スロットでの信号受信がないことであり、
前記送信開始スロットでの前記信号受信は、前記インターバル期間において、前記信号受信がある前記送信開始スロットに対応付けられている前記他の無線通信端末装置の前記割当てスロットが前記他の無線通信端末装置の前記信号の前記送信に使用される可能性があることを示す
ことを特徴とする無線通信端末装置の制御方法。
【請求項７】
さらに、前記残り信号の前記送信の際に、前記信号受信の有る前記送信開始スロットに対応付けられている前記他の無線通信端末装置と前記残り信号の前記送信を行う無線通信端末装置との所定優先度にもとづいて、前記利用するスロットを決定する
ことを特徴とする請求項６に記載の無線通信端末装置の制御方法。
【請求項８】
ＴＤＭＡフレームにおける送信開始スロットを監視して所定条件を満たしているかどうかを判定し、
信号の送信の際、前記送信開始スロットで前記信号の前記送信を開始し、前記信号の前記送信で前記送信開始スロットで前記信号を前記送信した後に残っている前記送信する前記信号である残り信号がある場合、前記所定条件が満たされた場合に、前記送信開始スロットのうちの最後のスロットと次の前記送信開始スロットのうちの最初のスロットとの間のインターバル期間において、前記信号を前記送信する無線通信端末装置の割当てスロットに加えて、前記所定条件を満たした前記送信開始スロットに対応付けられている他の無線通信端末装置の前記割当てスロットを利用して前記残り信号の前記送信を行い、
前記所定条件は、前記他の無線通信端末装置に対応する前記送信開始スロットでの信号受信がないことであり、
さらに、前記残り信号の前記送信の際に、前記信号受信の有る前記送信開始スロットに対応付けられている前記他の無線通信端末装置と前記残り信号の前記送信を行う前記無線通信端末装置との所定優先度にもとづいて、前記利用するスロットを決定する
ことを特徴とする無線通信端末装置の制御方法。
【請求項９】
さらに、前記信号の前記送信で前記残り信号がある場合に、前記送信開始スロットで前記送信する前記信号に前記残り信号の有ることを示す情報を含め、
前記所定条件は、さらに、受信信号に前記残り信号の有ることを示す情報が含まれていないことである
ことを特徴とする請求項７あるいは請求項８に記載の無線通信端末装置の制御方法。
【請求項１０】
さらに、前記信号の前記送信で前記残り信号がある場合に、前記インターバル期間における所定スロットで前記信号の前記送信が未完了であることを示す所定識別子も前記送信し、前記インターバル期間における所定スロットで前記所定識別子を受信しなくなった後に、前記インターバル期間における所定スロットを前記利用するスロットに含める
ことを特徴とする請求項７あるいは請求項８に記載の無線通信端末装置の制御方法。
【発明の詳細な説明】
【技術分野】
【０００１】
本発明は、無線通信端末装置、および制御方法に関する。
【背景技術】
【０００２】
ＴＤＭＡ（Time Division Multiple Access）方式は、一つの無線キャリアにおける時分割スロットを複数の無線端末で利用する無線通信方式である。各無線端末が無線通信フレームにおける互いに異なるタイムスロットを使用して通信することで、無線端末間の信号の衝突等なしに通信が行なわれる。
【０００３】
ＴＤＭＡ／ＴＤＤ（Time Division Duplexing）方式が用いられ、無線基地局と無線端末とから成るＰＨＳ（Personal Handyphone System）等の無線通信システムでは、各無線端末に互いに異なる一対の送信タイムスロットと受信タイムスロットが割り当てられて通信が行われる。
【０００４】
この無線通信システムにおいて、例えば、上りトラフィック量が一つの無線端末で少なく、他の無線端末で多い場合、前者の無線端末に割り当てられた上りタイムスロットを両方の無線端末で共用することで、空いているタイムスロットが有効に利用される。こうした技術が特許文献１に記載されている。特許文献１に記載の無線基地局は、次の通りである。
【０００５】
すなわち、複数の無線端末との間でＴＤＭＡ／ＴＤＤ方式の無線通信を行う無線基地局は各無線端末に互いに異なる一対のタイムスロットを割当てて通信を行う。無線基地局は通信中の無線端末から、割り当てられた一対のタイムスロットの内の、上りタイムスロットの間欠利用が可能である旨の情報を受信すると、その間欠利用可能な上りタイムスロットを認識する。その状態で、無線基地局は通信中の他の無線端末で上りトラフィック量が多いものを検知すると、間欠利用可能な上りタイムスロットにおける空きを該他の無線端末に割り当てて通信を行う。
【０００６】
このように、特許文献１に記載の技術によれば、各無線端末に割り当てられたタイムスロットにおける空きを有効に利用することが可能となる。
【０００７】
また、マルチキャリア方式は、ある周波数間隔で配備された複数のサブキャリアを用いて信号を並列に伝送する無線通信方式である。マルチキャリア方式が用いられ、全セルで共通の周波数帯域が信号の伝送に用いられるＴＤＭＡシステムにおいて、サブキャリアの受信特性の劣化により生じる伝送レートの低下を防止するために、効率の良いスロット割り当てを行う技術が特許文献２に記載されている。特許文献２に記載の無線基地局は、次の通りである。
【０００８】
すなわち、無線端末と通信を行う無線基地局はアップリンクのスロット毎に各サブキャリアの受信特性をもとに受信特性が第１閾値を上回るサブキャリアである送信可能サブキャリアの数を算出する。送信可能サブキャリア数が第２閾値より小さい場合に、スロット割当ての同一な次のフレームで、空いているスロットにおける送信可能サブキャリア数を算出する。送信可能サブキャリア数が第２閾値より大きい空きスロットがある場合には、その空きスロットへの再割当てを行う。送信可能サブキャリア数が第２閾値より大きい空きスロットがない場合には、送信可能サブキャリア数が最大なスロットへの再割当てを行う。
【０００９】
このように、特許文献２に記載の技術によれば、効率の良いスロット割り当てを行うことが可能となる。
【先行技術文献】
【特許文献】
【００１０】
【特許文献１】特開２０１１−０１００４２号公報
【特許文献２】特開２００４−３６４０３５号公報
【発明の概要】
【発明が解決しようとする課題】
【００１１】
特許文献１、特許文献２の記載の技術によれば、空きタイムスロットを有効に利用することが可能となる。
【００１２】
ところで、ＴＤＭＡ方式の無線通信システムには、無線端末数の少ない小規模なものなど、無線基地局が無く、無線端末のみで構成されるものがある。そのような無線通信システムの一例を図１に示す。特定の無線端末ａ〜ｅがＴＤＭＡネットワークを構成している。なお、無線端末間の線は無線通信を表す。図２に図１の無線通信システムにおけるＴＤＭＡフレームの構成および無線端末間のスロット割当て・信号送受信の例を示す。なお、そのスロット割当てはあらかじめ特定の無線端末ａ〜ｅに対して設定されている。１フレームが１００個のスロットから成り、１スロット長が１０ｍｓである。１番目のスロットから順に無線端末ａ〜ｅが順番に繰り返し割り当てられている。各無線端末で信号送信の要求が発生すると、該端末に割り当てられている直近のスロットで信号が他の無線端末へ送信される。信号のサイズが１スロットのサイズより大きい場合には、信号が１スロットサイズ以下に分割されて直近のスロット以降で送信される。
【００１３】
ところが、特許文献１、特許文献２に記載の無線通信システムでは、無線基地局によって空きタイムスロットの有効利用が可能となっている。このため、無線基地局が通信不能となったり、無線基地局が存在しなかったりする場合に、空きタイムスロットの有効利用が不可能となる。
【００１４】
つまり、無線端末のみで構成されている無線通信システムにおいては、空きタイムスロットが有効に利用できないことが課題である。
【００１５】
本発明の目的は、この課題を解決する無線通信端末装置、および制御方法を提供することである。
【課題を解決するための手段】
【００１６】
本発明の無線通信端末装置は、ＴＤＭＡフレームにおける所定範囲のスロットを監視して所定条件を満たしているかどうかを判定し、出力する空きスロット検知手段と、信号の送信の際、前記所定範囲の所定スロットで信号の送信を開始し、前記信号送信で残りの信号がある場合、前記所定条件が満たされた場合に、前記所定範囲の最後のスロットから次の所定範囲の最初のスロットまでのインターバル期間において、前記所定条件を満たしたスロットに対応付けられているスロットを利用して前記残り信号の送信を行う送信手段とを備えることを特徴とする。
【００１７】
本発明の無線通信端末装置の制御方法は、ＴＤＭＡフレームにおける所定範囲のスロットを監視して所定条件を満たしているかどうかを判定し、出力する空きスロット検知工程と、信号の送信の際、前記所定範囲の所定スロットで信号の送信を開始し、前記信号送信で残りの信号がある場合、前記所定条件が満たされた場合に、前記所定範囲の最後のスロットから次の所定範囲の最初のスロットまでのインターバル期間において、前記所定条件を満たしたスロットに対応付けられているスロットを利用して前記残り信号の送信を行う送信工程とを備えることを特徴とする。
【発明の効果】
【００１８】
本発明によれば、無線端末のみで構成されている無線通信システムにおいて、空きタイムスロットを有効に利用することが可能となる。
【図面の簡単な説明】
【００１９】
【図１】無線通信システムの一例を示す図である。
【図２】ＴＤＭＡフレームの構成および無線端末の動作の例を示す図である。
【図３】第１の実施形態における無線通信システムの構成例を示す図である。
【図４】第１の実施形態における無線通信端末の構成例を示すブロック図である。
【図５】第１の実施形態における無線通信システムの信号送受信の動作例を示す図である。
【図６】第１の実施形態における無線通信端末の信号送信動作の処理例を示すフローチャートである。
【図７】第２の実施形態における無線通信端末の構成例を示すブロック図である。
【図８】第２の実施形態における無線通信システムの信号送受信の動作例を示す図である。
【図９】第２の実施形態における無線通信端末の信号送信動作の処理例を示すフローチャートである。
【図１０】第２の実施形態における無線通信端末の優先度の例を示す表である。
【図１１】第３の実施形態における無線通信端末装置の構成例を示す図である。
【発明を実施するための形態】
【００２０】
本発明の第１の実施形態について、図面を参照して説明する。
【００２１】
図３に、本実施形態におけるＴＤＭＡ無線通信システムの構成例を示す。特定の無線通信端末１０（１０−１〜１０−５）がＴＤＭＡネットワークを構成している。なお、無線通信端末間の線は無線通信を表す。
【００２２】
図４に、本実施形態における無線通信端末１０の構成例を示す。無線通信端末１０は、アンテナ１１、送受信部１２、タイミング制御部１３、空きスロット情報取得部１４、送信スロット制御部１５、送信信号生成部１６を備える。
【００２３】
無線通信端末１０の各構成要素を説明する。
【００２４】
アンテナ１１は、無線信号の送受信を行う。
【００２５】
送受信部１２は、送受信信号の変復調を行う。
【００２６】
タイミング制御部１３は、スロットタイミングの制御、他無線通信端末との同期の制御を行う。
【００２７】
空きスロット情報取得部１４は、他無線通信端末の空きスロット情報を取得する。
【００２８】
送信スロット制御部１５は、送信スロットの制御を行う。
【００２９】
送信信号生成部１６は、送信信号（データ）の生成を行う。
【００３０】
上述の構成例を踏まえ、本実施形態における無線通信システムの動作例について、図５、図６を参照して説明する。
【００３１】
図５は、本無線通信システムにおける信号送受信の動作例を示す図である。１フレームが１００個のスロットから成っていて、１スロット長が１０ｍｓである。１番目のスロットから順に無線通信端末１０の１〜５（斜字）が順番に繰り返し割り当てられている。また、１フレーム内で各無線通信端末に割り当てられているスロットの一連の先頭スロット（１〜５）が送信開始スロットと設定されている。フレームにおけるスロットの割当て・設定などの情報は各無線通信端末１０で参照可能に記憶されている。各無線通信端末１０で信号（データ）送信の要求が発生すると、該端末に割り当てられている直近の送信開始スロットで信号が他の無線通信端末１０へ送信される。信号のサイズが１スロットのサイズより大きい場合には、信号が１スロットサイズ以下に分割されて、基本的に、直近の送信開始スロット以降で送信される。送信開始スロットで行われる信号の送信は、次の送信開始スロットまで該端末に割り当てられているスロットが信号の送信に使用される可能性があることを示す。なお、送信開始スロットの位置や数については、これに限らず、１フレームの全スロット数や各無線通信端末に割り当てられているスロット数などに応じて決定すればよい。また、このスロット割当て・設定はあらかじめ特定の無線端末１０−１〜１０−５に対して行われている。
【００３２】
図６は、本無線通信端末における信号送信動作の処理例を示すフローチャートである。
【００３３】
ユーザの操作等により、時刻Ｔに開始されるフレームにおいて、例えば、無線通信端末１０−１で信号（データ）送信の要求が発生する（Ｓ６０１で有）。それに応じて、無線通信端末１０−１は、送信信号生成部１６が信号を生成し、送信スロット制御部１５、送受信部１２、アンテナ１１により時刻Ｔ＋１に開始される次のフレームの（あるいは次の）送信開始スロットで信号の送信を行う（Ｓ６０２）。すなわち、無線通信端末１０−１は次フレームの１番目のスロットで信号送信を行う。同時に、無線通信端末１０−１は空きスロット情報取得部１４によりそのフレームの（あるいはその組の）他の送信開始スロットで信号送信の有無を確認して他の無線通信端末１０の割当てスロットの空きの有無を認識する（Ｓ６０３）。ここでは、他の無線通信端末１０の送信開始スロットで信号送信が無いため、無線通信端末１０−１はそのフレームにおいて（あるいは次の送信開始スロットの組まで）他の無線通信端末１０の割当てスロットが空きであると認識する。
【００３４】
次に、上記の信号送信要求で、さらに送信する信号がある場合等に、無線通信端末１０−１はそのフレームにおける（あるいは次の送信開始スロットの組までの）自装置の割当てスロットだけでなく他の無線通信端末１０の空きスロットも利用して信号の送信を行う（Ｓ６０４）。
【００３５】
上述の動作例では、無線通信端末１０において、信号送信の要求に応じ、送信開始スロットで信号の送信を行うことによって、次の送信開始スロットまで自身の割当てスロットを信号の送信に使用する可能性があることを他の無線通信端末１０に通知している。ただ、このような通知は、信号の送信を行う際に、次の送信開始スロットまでの該端末の割当てスロットの使用（可能性）有無を示す信号等を送信することによって行ってもよい。
【００３６】
以上のように、フレームに無線通信端末毎の送信開始スロットの組が設定されていて、無線通信端末で信号送信の要求が発生すると、直近の対応する送信開始スロットで信号送信が行なわれる。同時に、その組の他の送信開始スロットから他の無線通信端末の空きスロットが検知される。上記要求でさらに送信される信号がある場合、該空きスロットを利用して信号の送信が行われる。
【００３７】
このように、無線端末のみで構成されている無線通信システムにおいて、空きタイムスロットを有効に利用することが可能となる。
【００３８】
本発明の第２の実施形態について、図面を参照して説明する。
【００３９】
第１の実施形態では、一つのフレームにおいて一つの無線通信端末で信号送信の要求が発生する場合について説明した。本実施形態では、一つのフレームにおいて二つの無線通信端末で信号送信の要求が発生する場合における、信号送信の要求が発生した二つの無線通信端末による他無線通信端末の空きスロットの利用方法について説明する。
【００４０】
本実施形態における無線通信システムの構成例について、図７を参照して、次の点に関して第１の実施形態と異なるが、それ以外については、第１の実施形態と同様である。
【００４１】
無線通信端末１０は、端末優先度設定部１７を備え、端末優先度設定部１７は、他無線通信端末の空きスロットを利用して信号の送信を行う無線通信端末の優先度の設定・記憶を行う。
【００４２】
なお、図７における端末優先度設定部１７以外の構成要素の符号は便宜上、第１の実施形態のものと同じにしてある。
【００４３】
上述の構成例を踏まえ、本実施形態における無線通信システムの動作例について、図８〜図１０を参照して説明する。図８は、本無線通信システムにおける信号送受信の動作例を示す図である。図９は、本無線通信端末における信号送信動作の処理例を示すフローチャートである。
【００４４】
ユーザの操作等により、時刻Ｔに開始されるフレームにおいて、例えば、無線通信端末１０−１、１０−３で信号送信の要求が発生する（Ｓ９０１で有）。それに応じて、無線通信端末１０−１、１０−３は、送信信号生成部１６が信号を生成し、送信スロット制御部１５、送受信部１２、アンテナ１１により時刻Ｔ＋１に開始される次のフレームの（あるいは次の）送信開始スロットで信号の送信を行う（Ｓ９０２）。すなわち、無線通信端末１０−１、１０−３は次フレームの１番目、３番目のスロットでそれぞれ信号送信を行う。同時に、無線通信端末１０−１、１０−３は空きスロット情報取得部１４によりそのフレームの（あるいはその組の）他の送信開始スロットで信号送信の有無を確認して他の無線通信端末１０の割当てスロットの空きの有無を認識する（Ｓ９０３）。ここでは、無線通信端末１０−２、１０−４、１０―５の送信開始スロットで信号送信が無いため、無線通信端末１０−１、１０−３はそのフレームにおいて（あるいは次の送信開始スロットの組まで）無線通信端末１０−２、１０−４、１０−５の割当てスロットが空きであると認識する。また、無線通信端末１０−１、１０−３の送信開始スロットで信号送信が有るため、無線通信端末１０−１、１０−３はそのフレームにおいて（あるいは次の送信開始スロットの組まで）互いのスロットで信号送信が行われると認識する。
【００４５】
次に、上記の信号送信要求で、さらに送信する信号がある場合等に、無線通信端末１０−１、１０−３はそのフレームにおける（あるいは次の送信開始スロットの組までの）自装置の割当てスロットだけでなく無線通信端末１０−２、１０−４、１０−５の空きスロットも利用して信号の送信を行う（Ｓ９０４）。その際、無線通信端末１０−１、１０−３はあらかじめ端末優先度設定部１６に設定・記憶されている無線通信端末の優先度（図１０参照）にもとづき空きスロットを使用可能な無線通信端末を決定する。図１０において、メインユーザは、該スロットをあらかじめ割り当てられている無線通信端末（番号）を示す。サブユーザ１〜４は、該スロットを、メインユーザの不使用時に、使用可能な無線通信端末を示す。サブユーザ１から順に優先度が高くなっている。図１０によれば、無線通信端末１０−１は、無線通信端末１０−２について、無線通信端末１０−３より優先度が高いため、空きスロットが使用可能となる。無線通信端末１０−３は、無線通信端末１０−４、１０−５について、無線通信端末１０−１より優先度が高いため、空きスロットが使用可能となる。
【００４６】
これにより、無線通信端末１０−１、１０−３が他の無線通信端末１０の空きスロットを重複せずに使用することが可能となる。
【００４７】
なお、以上、信号送信の要求が発生する無線通信端末の数が二つの場合について説明したが、三つ以上の場合についても同様である。
【００４８】
また、上記の信号送信において、例えば、無線通信端末１０−３について、送信開始スロットのみで信号の送信が完了する場合がある。その場合に、送信開始スロットでの信号送信の際に、次の送信開始スロットまでの、自端末の割当てスロットや他の無線通信端末１０の空きスロットを使用しない旨の通知を一緒に送信してもよい。これにより無線通信端末１０−１が無線通信端末１０−４、１０−５の空きスロットも利用して信号の送信を行うことが可能となる。
【００４９】
さらに、送信開始スロットでの信号送信以降、該端末の割当てスロットで、信号送信が完了するまで、実際に送信される信号の有無に拘わらず、信号送信の未完了を示す信号（識別子）等を送信してもよい。これにより、信号送信の完了後、次の送信開始スロットまで該端末の割当てスロットが空きであることが他の無線通信端末１０に判別され、空きスロットの利用が可能となる。なお、他の無線通信端末１０のいずれが空きスロットを利用するかは上述のような無線通信端末の優先度等にもとづいて決定される。
【００５０】
以上のように、フレームに無線通信端末毎の送信開始スロットの組が設定されていて、二つ以上の無線通信端末で信号送信の要求が発生すると、直近の対応する送信開始スロットで信号送信が行なわれる。同時に、その組の他の送信開始スロットから他の無線通信端末の空きスロットが検知される。上記要求でさらに送信される信号がある場合、該空きスロットを利用して信号の送信が行われる。その際、無線通信端末の優先度にもとづき該空きスロットを使用可能な無線通信端末が決定され、該空きスロットは重複なしに無線通信端末により使用される。
【００５１】
これにより、無線端末のみで構成されている無線通信システムにおいて、空きタイムスロットを有効に利用することが可能となる。
【００５２】
次に、本発明の第３の実施形態について、図面を参照して説明する。
【００５３】
図１１に、本実施形態における無線通信端末装置の構成例を示す。無線通信端末装置２０は、空きスロット検知部２１、送信部２２を備える。
【００５４】
空きスロット検知部２１は、ＴＤＭＡフレームにおける所定範囲のスロットを監視して所定条件を満たしているかどうかを判定し、出力する。  送信部２２は、信号の送信の際、所定範囲の所定スロットで信号の送信を開始し、残りの信号がある場合、インターバル期間において、所定条件を満たしたスロットに対応付けられているスロットを利用して残り信号の送信を行う。
【００５５】
上述の構成例を踏まえ、本実施形態における無線通信端末装置２０の動作例について説明する。
【００５６】
空きスロット検知部２１はＴＤＭＡフレームにおける所定範囲のスロットを監視して所定条件を満たしているかどうかを判定し、出力する。
【００５７】
送信部２２は、信号の送信の際、所定範囲の所定スロットで信号の送信を開始する。送信部２２は、信号送信で残りの信号がある場合、所定条件が満たされた場合に、所定範囲の最後のスロットから次の所定範囲の最初のスロットまでのインターバル期間において、所定条件を満たしたスロットに対応付けられているスロットを利用して残り信号の送信を行う。
【００５８】
以上のように、無線通信端末で信号送信の際、所定範囲の所定スロットで信号の送信が開始される。信号送信の際、さらに送信される信号がある場合、インターバル期間において、所定条件を満たしたスロットに対応付けられているスロットを利用して信号の送信が行われる。
【００５９】
これにより、無線端末のみで構成されている無線通信システムにおいて、空きタイムスロットを有効に利用することが可能となる。
【００６０】
なお、以上の実施形態において、係る動作処理を実行させるためのプログラムを、ＣＤ−ＲＯＭ、ＭＯなどのコンピュータ読取可能な記録媒体に格納して配布し、該プログラムをコンピュータにインストールすることにより、該動作処理を実行する装置を構成してもよい。ＣＤ−ＲＯＭはＣｏｍｐａｃｔ  Ｄｉｓｋ  Ｒｅａｄ−Ｏｎｌｙ  Ｍｅｍｏｒｙの略称で、ＭＯはＭａｇｎｅｔｏ−Ｏｐｔｉｃａｌ  ｄｉｓｋの略称である。
【００６１】
上記の実施の形態の一部または全部は、以下の付記のようにも記載されうるが、以下には限られない。
（付記１）ＴＤＭＡフレームにおける所定範囲のスロットを監視して所定条件を満たしているかどうかを判定し、出力する空きスロット検知手段と、信号の送信の際、前記所定範囲の所定スロットで信号の送信を開始し、前記信号送信で残りの信号がある場合、前記所定条件が満たされた場合に、前記所定範囲の最後のスロットから次の所定範囲の最初のスロットまでのインターバル期間において、前記所定条件を満たしたスロットに対応付けられているスロットを利用して前記残り信号の送信を行う送信手段とを備えることを特徴とする無線通信端末装置。
（付記２）前記所定条件は、信号受信の無いことであることを特徴とする付記１に記載の無線通信端末装置。
（付記３）前記送信手段は、さらに、前記残り信号の送信の際に、信号受信の有る前記所定範囲スロットに対応付けられている他の無線通信端末装置と自装置との所定優先度にもとづいて、前記利用するスロットを決定することを特徴とする付記２に記載の無線通信端末装置。
（付記４）前記送信手段は、さらに、前記信号送信で残りの信号がある場合に、前記所定範囲の所定スロットで送信する信号に残り信号の有ることを示す情報を含め、前記所定条件は、さらに、受信信号に前記残り信号の有ることを示す情報が含まれていないことであることを特徴とする付記３に記載の無線通信端末装置。
（付記５）前記送信手段は、さらに、前記信号送信で残りの信号がある場合に、前記インターバル期間における所定スロットで前記信号送信が未完了であることを示す所定識別子も送信し、前記インターバル期間における所定スロットで前記所定識別子を受信しなくなった後に、前記インターバル期間における所定スロットを前記利用するスロットに含めることを特徴とする付記３に記載の無線通信端末装置。
（付記６）複数の、付記１、２、３、４もしくは５に記載の無線通信端末装置を含み、前記無線通信端末装置の各々は互いに接続されて通信可能となることを特徴とする無線通信システム。
（付記７）ＴＤＭＡフレームにおける所定範囲のスロットを監視して所定条件を満たしているかどうかを判定し、出力する空きスロット検知工程と、信号の送信の際、前記所定範囲の所定スロットで信号の送信を開始し、前記信号送信で残りの信号がある場合、前記所定条件が満たされた場合に、前記所定範囲の最後のスロットから次の所定範囲の最初のスロットまでのインターバル期間において、前記所定条件を満たしたスロットに対応付けられているスロットを利用して前記残り信号の送信を行う送信工程とを備えることを特徴とする無線通信端末装置の制御方法。
（付記８）前記所定条件は、信号受信の無いことであることを特徴とする付記７に記載の無線通信端末装置の制御方法。
（付記９）前記送信工程は、さらに、前記残り信号の送信の際に、信号受信の有る前記所定範囲スロットに対応付けられている無線通信端末装置と前記残り信号の送信を行う無線通信端末装置との所定優先度にもとづいて、前記利用するスロットを決定することを特徴とする付記８に記載の無線通信端末装置の制御方法。
（付記１０）前記送信工程は、さらに、前記信号送信で残りの信号がある場合に、前記所定範囲の所定スロットで送信する信号に残り信号の有ることを示す情報を含め、前記所定条件は、さらに、受信信号に前記残り信号の有ることを示す情報が含まれていないことであることを特徴とする付記９に記載の無線通信端末装置の制御方法。
（付記１１）前記送信工程は、さらに、前記信号送信で残りの信号がある場合に、前記インターバル期間における所定スロットで前記信号送信が未完了であることを示す所定識別子も送信し、前記インターバル期間における所定スロットで前記所定識別子を受信しなくなった後に、前記インターバル期間における所定スロットを前記利用するスロットに含めることを特徴とする付記９に記載の無線通信端末装置の制御方法。
（付記１２）ＴＤＭＡフレームにおける所定範囲のスロットを監視して所定条件を満たしているかどうかを判定し、出力する空きスロット検知処理と、信号の送信の際、前記所定範囲の所定スロットで信号の送信を開始し、前記信号送信で残りの信号がある場合、前記所定条件が満たされた場合に、前記所定範囲の最後のスロットから次の所定範囲の最初のスロットまでのインターバル期間において、前記所定条件を満たしたスロットに対応付けられているスロットを利用して前記残り信号の送信を行う送信処理とを備えることを特徴とする無線通信端末装置のプログラム。
（付記１３）前記所定条件は、信号受信の無いことであることを特徴とする付記１２に記載の無線通信端末装置のプログラム。
（付記１４）前記送信処理は、さらに、前記残り信号の送信の際に、信号受信の有る前記所定範囲スロットに対応付けられている無線通信端末装置と前記残り信号の送信を行う無線通信端末装置との所定優先度にもとづいて、前記利用するスロットを決定することを特徴とする付記１３に記載の無線通信端末装置のプログラム。
（付記１５）前記送信処理は、さらに、前記信号送信で残りの信号がある場合に、前記所定範囲の所定スロットで送信する信号に残り信号の有ることを示す情報を含め、前記所定条件は、さらに、受信信号に前記残り信号の有ることを示す情報が含まれていないことであることを特徴とする付記１４に記載の無線通信端末装置のプログラム。
（付記１６）前記送信処理は、さらに、前記信号送信で残りの信号がある場合に、前記インターバル期間における所定スロットで前記信号送信が未完了であることを示す所定識別子も送信し、前記インターバル期間における所定スロットで前記所定識別子を受信しなくなった後に、前記インターバル期間における所定スロットを前記利用するスロットに含めることを特徴とする付記１４に記載の無線通信端末装置のプログラム。
【産業上の利用可能性】
【００６２】
本発明は、無線通信端末装置、および制御方法に利用可能である。
【符号の説明】
【００６３】
１０    無線通信端末
１１    アンテナ
１２    送受信部
１３    タイミング制御部
１４    空きスロット情報取得部
１５    送信スロット制御部
１６    送信信号生成部
１７    端末優先度設定部
２０    無線通信端末装置
２１    空きスロット検知部
２２    送信部
【図１】
0006500524.tif 000002
【図２】
0006500524.tif 000003
【図３】
0006500524.tif 000004
【図４】
0006500524.tif 000005
【図５】
0006500524.tif 000006
【図６】
0006500524.tif 000007
【図７】
0006500524.tif 000008
【図８】
0006500524.tif 000009
【図９】
0006500524.tif 000010
【図１０】
0006500524.tif 000011
【図１１】
0006500524.tif 000012